(57)【要約】【課題】手持ちの長靴を使って合羽ズボンと一体化できるとともに、着脱が容易で、雨中の作業性に優れた一体化形雨具の提供。【解決手段】一体化形雨具は、ゴム長靴１１の足入れ口１２近傍の外側へ利用者により貼着される靴側面ファスナー１と、ズボン側面ファスナーをズボン裾内側に縫着した合羽ズボンとにより構成される。このため、一体化形雨具は、手持ちのゴム長靴１１を使って合羽ズボンと一体化できるとともに、着脱が容易で、雨中の作業性に優れる。【選択図】図１
0003174035.tif 000002
【実用新案登録請求の範囲】
【請求項１】
長靴の足入れ口近傍の外側に取り付け可能な靴側係合手段と、
該靴側係合手段と係合可能なズボン側係合手段をズボン裾内側に配設した合羽ズボンとからなる一体化形雨具。
【請求項２】
長靴の足入れ口近傍の外側に貼着可能な靴側面ファスナーと、
該靴側面ファスナーと係合可能なズボン側面ファスナーをズボン裾内側に縫着した合羽ズボンとからなる一体化形雨具。
【請求項３】
裏面にゴム製の防水接着層を設け、ゴム長靴の足入れ口近傍の外側に貼着可能な靴側面ファスナーと、
裏面に縫着層を設け、前記靴側面ファスナーと係合可能なズボン側面ファスナーをズボン裾内側に縫着した合羽ズボンとからなる一体化形雨具。
【請求項４】
裏面にゴム製の防水接着層を設け、ゴム長靴の足入れ口近傍の外側に貼着可能な靴側スナップボタンと、
前記靴側スナップボタンと係合可能なズボン側スナップボタンをズボン裾内側に縫着した合羽ズボンとからなる一体化形雨具。
【請求項５】
ゴム製の防水接着層の表面に靴側磁石を固着し、ゴム長靴の足入れ口近傍の外側に貼着可能な磁石付貼着体と、
該磁石付貼着体の前記靴側磁石と磁着可能なズボン側磁石を縫着材に固着してなる磁石付縫着材をズボン裾内側に縫着した合羽ズボンとを具備する一体化形雨具。
【考案の詳細な説明】
【技術分野】
【０００１】
本考案は、雨降りの際に、屋外で作業をするときに使用する一体化形雨具に関する。
【背景技術】
【０００２】
通常、雨中で作業をするときには、身体が濡れない様に雨合羽やゴム長靴を使用する。  
【０００３】
特許文献１には、対向ベルクロファスナーによって、靴カバーの上部とレインコートの裾とを付着連結させた自転車用雨具が開示されている。
【先行技術文献】
【特許文献】
【０００４】
【特許文献１】特開平１０−１６８６１３号公報
【考案の概要】
【考案が解決しようとする課題】
【０００５】
上記特許文献１は、下記の課題を有する。
自転車用雨具を使用する場合には、筒状靴カバーで靴を覆う作業が必要であるので装着が面倒である。
【０００６】
そこで、本考案者は、実用新案登録第３１６３８５９号で、長靴とズボンとからなる雨具を考案した。
しかし、その雨具は、下記の課題が新たに見つかった。
【０００７】
雨具は、長靴とズボンで１セットであるので、手持ちの長靴を流用できず、セットの長靴を新たに買う分、コストがかかる。また、鉄筋により長靴の一方が損傷した場合でも、新たに１セット購入する必要がある。
本考案の目的は、手持ちの長靴を使って合羽ズボンと一体化できるとともに、着脱が容易で、雨中の作業性に優れた一体化形雨具の提供にある。
【課題を解決するための手段】
【０００８】
（請求項１について）
一体化形雨具は、長靴の足入れ口近傍の外側に取り付け可能な靴側係合手段と、靴側係合手段と係合可能なズボン側係合手段をズボン裾内側に配設した合羽ズボンとからなる。  この一体化形雨具は、以下の様にして使用する。
事前に、長靴の足入れ口近傍の外側に靴側係合手段を取り付けておく。
合羽ズボンを履き、足を長靴の足入れ口から長靴内へ入れた後に、ズボン裾内側に配設したズボン側係合手段を、長靴の足入れ口近傍の外側に取り付けた靴側係合手段に係合させる。
【０００９】
ズボン側係合手段を靴側係合手段に係合させているので、合羽ズボンと長靴とが一体化し長靴内へ雨水が浸入し難いとともに、ズボン裾に気を使う必要がないので作業に集中できる。
また、靴側係合手段を長靴の足入れ口近傍の外側に取り付ける構成であるので、手持ちの長靴を使って合羽ズボンと長靴とを一体化できる。
合羽ズボンと長靴との一体化を解除する場合は、ズボン側係合手段と靴側係合手段との係合を解除するだけで良いので簡単である。
【００１０】
（請求項２について）
一体化形雨具は、長靴の足入れ口近傍の外側に貼着可能な靴側面ファスナーと、靴側面ファスナーと係合可能なズボン側面ファスナーをズボン裾内側に縫着した合羽ズボンとからなる。
この一体化形雨具は、以下の様にして使用する。
事前に、長靴の足入れ口近傍の外側に靴側面ファスナーを貼着しておく。また、ズボン側面ファスナーをズボン裾内側に縫着しておく。
合羽ズボンを履き、足を長靴の足入れ口から長靴内へ入れた後に、ズボン裾内側のズボン側面ファスナーを、長靴の足入れ口近傍の外側に貼着した靴側面ファスナーに係合させる。
【００１１】
ズボン側面ファスナーを靴側面ファスナーに係合させているので、合羽ズボンと長靴とが一体化し長靴内へ雨水が浸入し難いとともに、ズボン裾に気を使う必要がないので作業に集中できる。
また、靴側面ファスナーを長靴の足入れ口近傍の外側に貼着する構成であるので、手持ちの長靴を使って合羽ズボンと長靴とを一体化できる。
合羽ズボンと長靴との一体化を解除する場合は、ズボン側面ファスナーと靴側面ファスナーとの係合を解除するだけで良いので簡単である。
【００１２】
（請求項３について）
一体化形雨具は、裏面にゴム製の防水接着層を設け、ゴム長靴の足入れ口近傍の外側に貼着可能な靴側面ファスナーと、裏面に縫着層を設け、靴側面ファスナーと係合可能なズボン側面ファスナーをズボン裾内側に縫着した合羽ズボンとからなる。
【００１３】
この一体化形雨具は、以下の様にして使用する。
事前に、ゴム長靴の足入れ口近傍の外側に防水接着層が当接する様に靴側面ファスナーを貼着しておく。また、ズボン裾内側に縫着層が当接する様にズボン側面ファスナーを縫着しておく。
合羽ズボンを履き、足をゴム長靴の足入れ口からゴム長靴内へ入れた後に、ズボン裾内側のズボン側面ファスナーを、ゴム長靴の足入れ口近傍の外側に貼着した靴側面ファスナーに係合させる。
【００１４】
ズボン側面ファスナーを靴側面ファスナーに係合させているので、合羽ズボンとゴム長靴とが一体化しゴム長靴内へ雨水が浸入し難いとともに、ズボン裾に気を使う必要がないので作業に集中できる。
また、靴側面ファスナーをゴム長靴の足入れ口近傍の外側に貼着する構成であるので、手持ちのゴム長靴を使って合羽ズボンとゴム長靴とを一体化できる。なお、靴側面ファスナーの裏面に防水接着層を設けているので、ゴム長靴が雨に濡れても、靴側面ファスナーがゴム長靴から剥がれ難い。
合羽ズボンとゴム長靴との一体化を解除する場合は、ズボン側面ファスナーと靴側面ファスナーとの係合を解除するだけで良いので簡単である。
【００１５】
（請求項４について）
一体化形雨具は、裏面にゴム製の防水接着層を設け、ゴム長靴の足入れ口近傍の外側に貼着可能な靴側スナップボタンと、靴側スナップボタンと係合可能なズボン側スナップボタンをズボン裾内側に縫着した合羽ズボンとからなる。
【００１６】
この一体化形雨具は、以下の様にして使用する。
事前に、ゴム長靴の足入れ口近傍の外側に防水接着層が当接する様に靴側スナップボタンを貼着しておく。また、ズボン裾内側にズボン側スナップボタンを縫着しておく。
合羽ズボンを履き、足をゴム長靴の足入れ口からゴム長靴内へ入れた後に、ズボン裾内側のズボン側スナップボタンを、ゴム長靴の足入れ口近傍の外側に貼着した靴側スナップボタンに係合させる。
【００１７】
ズボン側スナップボタンを靴側スナップボタンに係合させているので、合羽ズボンとゴム長靴とが一体化しゴム長靴内へ雨水が浸入し難いとともに、ズボン裾に気を使う必要がないので作業に集中できる。
また、靴側スナップボタンをゴム長靴の足入れ口近傍の外側に貼着する構成であるので、手持ちのゴム長靴を使って合羽ズボンとゴム長靴とを一体化できる。なお、靴側スナップボタンの裏面に防水接着層を設けているので、ゴム長靴が雨に濡れても、靴側スナップボタンがゴム長靴から剥がれ難い。
合羽ズボンとゴム長靴との一体化を解除する場合は、ズボン側スナップボタンと靴側スナップボタンとの係合を解除するだけで良いので簡単である。
【００１８】
（請求項５について）
一体化形雨具は、ゴム製の防水接着層の表面に靴側磁石を固着し、ゴム長靴の足入れ口近傍の外側に貼着可能な磁石付貼着体と、磁石付貼着体の靴側磁石と磁着可能なズボン側磁石を縫着材に固着してなる磁石付縫着材をズボン裾内側に縫着した合羽ズボンとを具備する。
【００１９】
この一体化形雨具は、以下の様にして使用する。
事前に、ゴム長靴の足入れ口近傍の外側に防水接着層が当接する様に磁石付貼着体を貼着しておく。また、ズボン裾内側に縫着材が当接する様に磁石付縫着材を縫着しておく。  合羽ズボンを履き、足をゴム長靴の足入れ口からゴム長靴内へ入れた後に、ズボン裾内側の磁石付縫着材の磁石を、ゴム長靴の足入れ口近傍の外側に貼着した磁石付貼着体の磁石に磁着させる。
【００２０】
磁石付縫着材の磁石を、足入れ口近傍の外側に貼着した磁石付貼着体の磁石に磁着させているので、合羽ズボンとゴム長靴とが一体化しゴム長靴内へ雨水が浸入し難いとともに、ズボン裾に気を使う必要がないので作業に集中できる。
また、磁石付貼着体をゴム長靴の足入れ口近傍の外側に貼着する構成であるので、手持ちのゴム長靴を使って合羽ズボンとゴム長靴とを一体化できる。
なお、防水接着層を設けているので、ゴム長靴が雨に濡れても、靴側磁石を固着した磁石付貼着体がゴム長靴から剥がれ難い。
合羽ズボンとゴム長靴との一体化を解除する場合は、磁石付縫着材の磁石と磁石付貼着体の磁石との磁着を解除するだけで良いので簡単である。
【図面の簡単な説明】
【００２１】
【図１】本考案の実施例１に係る一体化形雨具（ゴム長靴側）の説明図である。
【図２】本考案の実施例１に係る一体化形雨具（ズボン側）の説明図である。
【図３】その一体化形雨具の使用時の説明図である。
【図４】本考案の実施例２に係る一体化形雨具（ゴム長靴側）の説明図である。
【図５】本考案の実施例２に係る一体化形雨具（ズボン側）の説明図である。
【図６】本考案の実施例３に係る一体化形雨具（ゴム長靴側）の説明図である。
【図７】本考案の実施例３に係る一体化形雨具（ズボン側）の説明図である。
【実施例１】
【００２２】
本考案の実施例１（請求項１〜３に対応）に係る一体化形雨具Ａを図１〜図３に基づいて説明する。
一体化形雨具Ａは、ゴム長靴１１に貼着するための靴側面ファスナー１と、ズボン側面ファスナー２を縫着した合羽ズボン２１とにより構成される。なお、靴側面ファスナー１およびズボン側面ファスナー２は、フックまたはループで構成されている。
【００２３】
手持ちのゴム長靴１１は、通常、靴上部に足を入れるための楕円形の足入れ口１２が開口し、靴下部には、滑り止めやヒールなどが設けられている。
このゴム長靴１１の足入れ口１２近傍の外側の左右二カ所には、靴側面ファスナー１が利用者によって貼着される。
【００２４】
靴側面ファスナー１は、ファスナー基体ｄ上に形成された面ファスナー本体１３と、この面ファスナー本体１３の裏面に設けられたゴム製の防水接着層１４と、この防水接着層１４の表面に貼着される剥離紙１５とからなる。
【００２５】
合羽ズボン２１は、ポリエステルやナイロン等の撥水性材で形成されている。この合羽ズボン２１は、ゴム長靴１１の足入れ口１２の近傍に貼着した面ファスナー本体１３と係合可能なズボン側面ファスナー２をズボン裾内側２２の二カ所に縫着している。
【００２６】
ズボン側面ファスナー２は、面ファスナー本体２３と、この面ファスナー本体２３の裏面に設けられた縫着層２４とからなる。
【００２７】
つぎに、一体化形雨具Ａの使用方法を述べる。
合羽ズボン２１を製造するメーカー側で、予め、面ファスナー本体２３の縫着層２４をズボン裾内側２２の二カ所に縫着しておく。
【００２８】
手持ちのゴム長靴１１を有し、一体化形雨具Ａを購入した利用者は、利用する前に、合羽ズボン２１を履くとズボン側面ファスナー２の縫着層２４が当接する、足入れ口１２近傍の外側の左右二カ所に靴側面ファスナー１を貼着しておく。
【００２９】
一体化形雨具Ａを着用する時は、合羽ズボン２１を履いた後に、足を足入れ口１２からゴム長靴１１内へ入れた後に、ズボン裾内側２２のズボン側面ファスナー２を、足入れ口２１近傍の外側に貼着した靴側面ファスナー１に係合させる。なお、ジャケットも着る。  
【００３０】
ズボン側面ファスナー２を靴側面ファスナー１に係合させているので、合羽ズボン２１とゴム長靴１１とが一体化しゴム長靴１１内へ雨水が浸入し難いとともに、ズボン裾に気を使う必要がないので作業に集中できる。
【００３１】
また、靴側面ファスナー１をゴム長靴１１の足入れ口１２近傍の外側に貼着する構成であるので、手持ちのゴム長靴１１を使って合羽ズボン２１と一体化できる。なお、靴側面ファスナー１の裏面に防水接着層１４を設けているので、ゴム長靴１１が雨に濡れても、靴側面ファスナー１がゴム長靴１１から剥がれ難い。
合羽ズボン２１とゴム長靴１１との一体化を解除する場合は、ズボン側面ファスナー２と靴側面ファスナー１との係合を解除するだけで良いので簡単である。
【実施例２】
【００３２】
本考案の実施例２（請求項１、４に対応）に係る一体化形雨具Ｂを図４および図５（図２参照）に基づいて説明する。
一体化形雨具Ｂは、ゴム長靴４１に貼着するための靴側スナップボタン４と、ズボン側スナップボタン５を縫着した合羽ズボン５１とにより構成される。
【００３３】
手持ちのゴム長靴４１は、通常、靴上部に足を入れるための楕円形の足入れ口４２が開口し、靴下部には、滑り止めやヒールなどが設けられている。
このゴム長靴４１の足入れ口４２近傍の外側の左右二カ所には、靴側スナップボタン４が利用者によって貼着される。
【００３４】
靴側スナップボタン４は、スナップボタン本体４３と、このスナップボタン本体４３の裏面に設けられたゴム製の防水接着層４４と、この防水接着層４４の表面に貼着される剥離紙４５とからなる。
【００３５】
合羽ズボン５１は、ポリエステルやナイロン等の撥水性材で形成されている。この合羽ズボン５１は、ゴム長靴４１の足入れ口４２の近傍に貼着したスナップボタン本体４３と係合可能なズボン側スナップボタン５をズボン裾内側５２の二カ所に縫着している。
【００３６】
ズボン側スナップボタン５は、スナップボタン本体５３と、このスナップボタン本体５３を固定する縫着層５４とからなる。なお、縫着層５４を設けず、ズボン側スナップボタン５を直接、ズボン裾内側５２の二カ所に縫着する構成でも良い。
【００３７】
つぎに、一体化形雨具Ｂの使用方法を述べる。
合羽ズボン５１を製造するメーカー側で、予め、ズボン側スナップボタン５の縫着層５４をズボン裾内側５２の二カ所に縫着しておく。
【００３８】
手持ちのゴム長靴４１を有し、一体化形雨具Ｂを購入した利用者は、利用する前に、合羽ズボン５１を履くとズボン側スナップボタン５が嵌合する、足入れ口４２近傍の外側の左右二カ所に靴側スナップボタン４を貼着しておく。
【００３９】
一体化形雨具Ｂを着用する時は、合羽ズボン５１を履いた後に、足を足入れ口４２からゴム長靴４１内へ入れた後に、ズボン裾内側５２のズボン側スナップボタン５を、足入れ口５１近傍の外側に貼着した靴側スナップボタン４に係合させる。さらに、ジャケットも着る。
【００４０】
ズボン側スナップボタン５を靴側スナップボタン４に係合させているので、合羽ズボン５１とゴム長靴４１とが一体化しゴム長靴４１内へ雨水が浸入し難いとともに、ズボン裾に気を使う必要がないので作業に集中できる。
【００４１】
また、靴側スナップボタン４をゴム長靴４１の足入れ口４２近傍の外側に貼着する構成であるので、手持ちのゴム長靴５１を使って合羽ズボン５１と一体化できる。
なお、スナップボタン本体４３の裏面にゴム製の防水接着層４４が設けられているので、ゴム長靴４１が雨に濡れても、靴側スナップボタン４がゴム長靴４１から剥がれ難い。  合羽ズボン５１とゴム長靴４１との一体化を解除する場合は、ズボン側スナップボタン５と靴側スナップボタン４との係合を解除するだけで良いので簡単である。
【実施例３】
【００４２】
本考案の実施例３（請求項１、５に対応）に係る一体化形雨具Ｃを図６および図７（図２参照）に基づいて説明する。
一体化形雨具Ｃは、ゴム長靴６１に貼着するための磁石付貼着体６と、磁石付縫着材７を縫着した合羽ズボン７１とにより構成される。
【００４３】
磁石付貼着体６は、ゴム製の防水接着層６２の表面に靴側磁石６３を固着し、ゴム長靴６１の足入れ口６４の近傍の外側に貼着可能である。
磁石付縫着材７は、磁石付貼着体６の靴側磁石６３と磁着可能なズボン側磁石７２を縫着材７３に固着したものである。
【００４４】
この一体化形雨具Ｃは、以下の様にして使用する。
合羽ズボン７１を製造するメーカー側で、予め、ズボン側磁石７２の縫着材７３をズボン裾内側７４の二カ所に縫着しておく。
【００４５】
手持ちのゴム長靴６１を有し、一体化形雨具Ｃを購入した利用者は、利用する前に、合羽ズボン７１を履くと磁石付縫着材７のズボン側磁石７２が磁着する、足入れ口６４近傍の外側の左右二カ所に磁石付貼着体６を貼着しておく。
合羽ズボン７１を履き、足をゴム長靴６１の足入れ口６４からゴム長靴６１内へ入れた後に、磁石付縫着材７のズボン側磁石７２を、足入れ口６４近傍の外側に貼着した磁石付貼着体６の靴側磁石６３に磁着させる。
【００４６】
磁石付縫着材７のズボン側磁石７２を、足入れ口６４近傍の外側に貼着した磁石付貼着体６の靴側磁石６３に磁着させているので、合羽ズボン７１とゴム長靴６１とが一体化しゴム長靴６１内へ雨水が浸入し難いとともに、ズボン裾に気を使う必要がないので作業に集中できる。
【００４７】
磁石付貼着体６をゴム長靴６１の足入れ口６４近傍の外側に貼着する構成であるので、手持ちのゴム長靴６１を使って合羽ズボン７１と一体化できる。
なお、ゴム製の防水接着層６２を設けているので、ゴム長靴６１が雨に濡れても、靴側磁石６３を固着した磁石付貼着体６がゴム長靴６１から剥がれ難い。
合羽ズボン７１とゴム長靴６１との一体化を解除する場合は、磁石付縫着材７のズボン側磁石７２と磁石付貼着体６の靴側磁石６３との磁着を解除するだけで良いので簡単である。
【産業上の利用可能性】
【００４８】
この一体化形雨具を着用すれば、手持ちの長靴を使って合羽ズボンと一体化できるとともに、着脱が容易で、雨降りの際の屋外での作業性に優れる。
【符号の説明】
【００４９】
Ａ、Ｂ、Ｃ  一体化形雨具
１  靴側面ファスナー（靴側係合手段）
２  ズボン側面ファスナー（ズボン側係合手段）
４  靴側スナップボタン
５  ズボン側スナップボタン
６  磁石付貼着体
７  磁石付縫着材
１１、４１、６１  ゴム長靴（長靴）
１２、４２、６４  足入れ口
１４、４４、６２  防水接着層
２１、５１、７１  合羽ズボン
２２、５２、７４  ズボン裾内側
２４、５４  縫着層
６３  靴側磁石
７２  ズボン側磁石
７３  縫着材
【図１】
0003174035.tif 000003
【図２】
0003174035.tif 000004
【図３】
0003174035.tif 000005
【図４】
0003174035.tif 000006
【図５】
0003174035.tif 000007
【図６】
0003174035.tif 000008
【図７】
0003174035.tif 000009